(57)【特許請求の範囲】
【請求項１】
サッシ上枠とサッシ下枠及び左右のサッシ縦枠を枠組みしてなるサッシ枠体と、該サッシ枠体の上部に連結され上下枠及び左右の縦枠を枠組みし内部に換気扇を納めてなる換気扇枠体とを備えた換気扇付きサッシにおいて、
前記サッシ枠体は金属部の室内側面を樹脂部で覆われてなり、該樹脂部は室内縁部に室内側に向かって突出するアングル部を備え、
前記換気扇枠体の下枠は前記サッシ上枠と結合され、前記換気扇枠体は室内側に張り出した張出部を備えると共に、前記換気扇は前記換気扇枠体の張出部に取付けられ、
前記サッシ上枠のアングル部と前記換気扇の張出部との間には隙間部が形成され、該隙間部は室内側からカバー材が取付けられて覆われ、該カバー材は樹脂材からなると共に、前記張出部の下面と連続状とされてなることを特徴とする換気扇付きサッシ。
【請求項２】
前記換気扇枠体の下枠は少なくとも前記アングル部と前記換気扇の張出部との間の室内側部において前記サッシ上枠と重合されると共に、室内側からネジまたはビス止めされて結合され、該ネジまたはビスは前記カバー材により覆われることを特徴とする請求項１記載の換気扇付きサッシ。
【請求項３】
前記換気扇枠体の下枠とサッシ上枠は室外側部または中間部において互いに係合または当接されていることを特徴とする請求項２記載の換気扇付きサッシ。
【請求項４】
前記換気扇枠体の下枠には室内側に突出し前記張出部を構成する受け片が形成され、該受け片と前記アングル部の間に前記隙間部が形成されることを特徴とする請求項１〜３のいずれか１項に記載の換気扇付きサッシ。
【請求項５】
前記受け片は前記アングル部と略同じ高さ突出するように形成され、前記カバー材は室内側面が前記受け片及びアングル部の室内側先端部と連係して連続状とされてなることを特徴とする請求項４記載の換気扇付きサッシ。
【請求項６】
前記受け片とカバー材は係合により固定され、前記アングル部とカバー材はネジまたはビス止めにより固定されることを特徴とする請求項５記載の換気扇付きサッシ。
【発明の詳細な説明】
【技術分野】
【０００１】
本発明は、窓サッシの上部に換気扇の枠体を結合してなる換気扇付きサッシに関し、特に窓サッシの枠体と換気扇の枠体が別体でありながら一体感のある内観を有する換気扇付きサッシに関する。
【背景技術】
【０００２】
従来から、建物開口部に設けられる窓サッシの上部に換気扇を設けた換気扇付きサッシが知られている。従来の換気扇付きサッシにおいては、窓サッシの上枠と換気扇を納める換気扇枠を構成する下枠とが兼用されており、したがって窓サッシの枠体と換気扇の枠体とが一体化されていた。このような換気扇付きサッシとしては例えば特許文献１に挙げるようなものがある。
【特許文献１】特開平１０−１３１６４０号公報
【発明の開示】
【発明が解決しようとする課題】
【０００３】
しかし、窓サッシには引き違いサッシや開き窓など様々な種類のものがあり、それぞれ枠体の構造が異なっている。窓サッシの枠体と換気扇の枠体とが一体であると、それぞれの種類の窓について、換気扇の枠体を構成する下枠と兼用される窓サッシの枠体の上枠を用意する必要がありコストアップにつながる。窓サッシに通常の枠体を用いるためには、窓サッシの枠体と換気扇の枠体とを別体とする必要があるが、これらの連結が容易でかつ連結部分の意匠性にも優れたサッシが求められていた。
【０００４】
本発明は、上記課題を解決すべくなされたものであり、窓サッシの枠体と換気扇の枠体を別体とでき、これらの連結が容易で連結部分の意匠性にも優れた換気扇付きサッシを提供することを目的とする。
【課題を解決するための手段】
【０００５】
上記課題を解決するため、本発明に係る換気扇付きサッシは、サッシ上枠とサッシ下枠及び左右のサッシ縦枠を枠組みしてなるサッシ枠体と、該サッシ枠体の上部に連結され上下枠及び左右の縦枠を枠組みし内部に換気扇を納めてなる換気扇枠体とを備えた換気扇付きサッシにおいて、
前記サッシ枠体は金属部の室内側面を樹脂部で覆われてなり、該樹脂部は室内縁部に室内側に向かって突出するアングル部を備え、
前記換気扇枠体の下枠は前記サッシ上枠と結合され、前記換気扇枠体は室内側に張り出した張出部を備えると共に、前記換気扇は前記換気扇枠体の張出部に取付けられ、
前記サッシ上枠のアングル部と前記換気扇の張出部との間には隙間部が形成され、該隙間部は室内側からカバー材が取付けられて覆われ、該カバー材は樹脂材からなると共に、前記張出部の下面と連続状とされてなることを特徴として構成されている。
【０００６】
また、本発明に係る換気扇付きサッシは、前記換気扇枠体の下枠は少なくとも前記アングル部と前記換気扇の張出部との間の室内側部において前記サッシ上枠と重合されると共に、室内側からネジまたはビス止めされて結合され、該ネジまたはビスは前記カバー材により覆われることを特徴として構成されている。
【０００７】
さらに、本発明に係る換気扇付きサッシは、前記換気扇枠体の下枠とサッシ上枠は室外側部または中間部において互いに係合または当接されていることを特徴として構成されている。
【０００８】
さらにまた、本発明に係る換気扇付きサッシは、前記換気扇枠体の下枠には室内側に突出し前記張出部を構成する受け片が形成され、該受け片と前記アングル部の間に前記隙間部が形成されることを特徴として構成されている。
【０００９】
そして、本発明に係る換気扇付きサッシは、前記受け片は前記アングル部と略同じ高さ突出するように形成され、前記カバー材は室内側面が前記受け片及びアングル部の室内側先端部と連係して連続状とされてなることを特徴として構成されている。
【００１０】
また、本発明に係る換気扇付きサッシは、前記受け片とカバー材は係合により固定され、前記アングル部とカバー材はネジまたはビス止めにより固定されることを特徴として構成されている。
【発明の効果】
【００１１】
本発明に係る換気扇付きサッシによれば、換気扇は換気扇枠体の張出部に取付けられ、サッシ上枠は室内縁部に室内側に向かって突出するアングル部を備えて換気扇の張出部との間に隙間部を形成し、隙間部は室内側からカバー材が取付けられて覆われることにより、換気扇が室内側寄りに配置されることにより形成される張出部とサッシ上枠との間に生じる連結部分をカバー材により覆うことができるので、サッシ枠体と換気扇枠体を別体とでき、かつ連結部分の意匠性にも優れたものとすることができる。
【００１２】
また、本発明に係る換気扇付きサッシによれば、換気扇枠体の下枠は少なくともアングル部と換気扇の張出部との間の室内側部においてサッシ上枠と重合されると共に、室内側からネジまたはビス止めされて結合され、ネジまたはビスはカバー材により覆われることにより、ネジまたはビス止めを室内側から行うので連結作業が容易であり、かつそのネジまたはビス止め部分をカバー材により覆うことができるので、意匠性にも優れたものとすることができる。
【００１３】
さらに、本発明に係る換気扇付きサッシによれば、換気扇枠体の下枠とサッシ上枠は室外側部または中間部において互いに係合または当接されていることにより、サッシ枠体と換気扇枠体を強固に連結できると共に、これらの間の水密性も確保することができる。
【００１４】
さらにまた、本発明に係る換気扇付きサッシによれば、換気扇枠体の下枠には室内側に突出し張出部を構成する受け片が形成され、受け片とアングル部の間に隙間部が形成されることにより、受け片をカバー材取付けの基準面にすることができ、張出部の他の部分の形状にかかわらずカバー材を容易に取付けることができる。
【００１５】
そして、本発明に係る換気扇付きサッシによれば、受け片はアングル部と略同じ高さ突出するように形成され、カバー材は室内側面が受け片及びアングル部の室内側先端部と連係して連続状とされてなることにより、カバー材と受け片及びアングル部を連続的に構成することができて、室内側から見た意匠性をより高めることができる。
【００１６】
また、本発明に係る換気扇付きサッシによれば、受け片とカバー材は係合により固定され、アングル部とカバー材はネジまたはビス止めにより固定されることにより、カバー材の受け片側における取付けを容易にすることができると共に、アングル部側はネジ止めにより強固に固定することができる。
【発明を実施するための最良の形態】
【００１７】
本発明の実施形態について、図面に沿って詳細に説明する。図１は本実施形態における換気扇付きサッシの室内側から見た正面図である。この図に示すように本実施形態における換気扇付きサッシは、建物開口部に取付けられるサッシ枠体１の上部に、換気扇４を内部に納めた換気扇枠体２を連結し、サッシ枠体１の内部には障子３を納めてなるものである。また、サッシ枠体１と換気扇枠体２の連結部分には、カバー材４６を設けてある。
【００１８】
図２は本実施形態における換気扇付きサッシの縦断面図、図３は換気扇付きサッシのサッシ部分における横断面図、図４は換気扇付きサッシの換気扇部分における横断面図である。サッシ枠体１は、図２及び図３に示すように、サッシ上枠１０とサッシ下枠１１及び左右のサッシ縦枠１２、１２を方形状に枠組みして構成されている。各枠材は、アルミの押出部材により形成される金属部の室内側面を樹脂部により覆われており、断熱性及び意匠性の向上を図っている。また、各枠材の室内縁部には室内側に向かって突出するアングル部１３が形成されている。なお、アングル部１３はサッシ枠体１の室内端部に設けられることから、各枠材の樹脂部に形成されている。サッシ下枠１１とサッシ縦枠１２においては、アングル部１３がサッシの室内側における内周縁として配置される額縁部材５０の内周面に当接し、ビス止め固定される。
【００１９】
サッシ枠体１の内部に納められる障子３は、図２及び図３に示すように、上框３０と下框３１及び左右の縦框３２、３２を方形状に框組みしてなる框体５内にガラス体６を納めてなるものである。框体５を構成する各框材も、サッシ枠体１の枠材と同様に金属部の室内側露出面を樹脂部により覆ってなるもので、断熱性及び意匠性の向上を図っている。本実施形態では、障子３はサッシ枠体１に対して縦辷り出し窓として納められている。
【００２０】
サッシ枠体１の上部に連結される換気扇枠体２は、図２及び図４に示すように、上枠２０と下枠２１及び左右の縦枠２２、２２を方形状に枠組みして構成されている。換気扇４は換気扇枠体２内の室内側寄りに配置され、それに対応して換気扇枠体２は室内側に張り出した張出部２３を有している。また、換気扇枠体２の室内側面には室内側パネル２４が、室外側面には室外側パネル２５が、それぞれ取付けられる。室内側パネル２４には、換気扇４に室内側の空気を取り込むための吸入口２４ａが形成され、また室外側パネル２５には、換気扇４からの空気を室外に排出するための排出口２５ａが形成される。
【００２１】
図４に示すように、換気扇４は回転軸が室内外方向と直交するように配置されており、室内側パネル２４の中央部付近に設けられた吸入口２４ａから取り込まれた室内側の空気は、換気扇４により図４中の右側のサッシ縦枠１２側に導かれ、その領域から室外側パネル２５の排出口２５ａを介して室外側に排出される。
【００２２】
図２に示すように、室外側パネル２５の排出口２５ａ近傍の室内側面には当接片２５ｂが室内外方向に振れることができるように支持されている。また、下枠２１の上部には上方に向かって突出し当接片２５ｂの下端部と対向する突起部２１ａが形成されており、突起部２１ａの室外面には気密材２１ｂが設けられている。当接片２５ｂは室外側から風が吹き込んだ際に室内側に揺動し、下端部が下枠２１の突起部２１ａに設けられた気密材２１ｂに当接することで、換気扇枠体２において室内側に向かって空気が逆流しないようにしている。
【００２３】
次に、サッシ枠体１と換気扇枠体２の連結構造について説明する。図５には、図２のうちサッシ枠体１と換気扇枠体２の連結部分を拡大した縦断面図を示している。上述のように、サッシ枠体１のサッシ上枠１０と換気扇枠体２の下枠２１とが連結されることで、サッシ枠体１と換気扇枠体２とが一体化されている。
【００２４】
サッシ上枠１０の室外側上面には室外側に向かって開口する溝状の被係合部１５が形成されており、一方で下枠２１の下面には被係合部１５と対応する部分に、断面Ｌ字状の係合部２７が形成されていて、これらによってサッシ上枠１０と下枠２１は室外側部において係合固定がなされている。また、下枠２１の下面の室内外方向中間位置には、断面略Ｌ字状に突出する当接部２８が形成されると共に、その先端部には水密材２８ａが設けられていて、水密材２８ａがサッシ上枠１０の上面に当接する。これによってサッシ上枠１０と下枠２１は室内外中間部において当接による水密がなされている。
【００２５】
また、下枠２１の下面室内側端部には、下方に向かって突出する突出部２９が形成され、サッシ上枠１０の金属部における室内側面１６と重合状態とされると共に、室内側からネジ４０により固定されている。このように、サッシ上枠１０と下枠２１は、室外側で係合固定され、中間部で当接による水密がなされ、室内側でネジ固定される連結構造を有している。これにより、水密材２８ａにより水密性を確保しつつ、係合及びネジ固定によって両者を強固に固定することができると共に、ネジ固定を室内側から行うことができるので、作業性をよくすることができる。なお、係合固定と水密については逆の配置、すなわち室外側で水密をなし、中間部で係合固定するようにしてもよい。また、ネジ固定に代えてビス固定してもよい。
【００２６】
下枠２１の室内側面の下端部近傍には、室内側に向かって突出し換気扇枠体２の張出部２３の下面の一部を構成する受け片２６が形成されている。受け片２６はサッシ上枠１０の樹脂材に形成されたアングル部１３と略同じ高さだけ突出しており、受け片２６とアングル部１３及びサッシ上枠１０と下枠２１の突出部２９との重合部分によって、凹状の隙間部４５を形成している。この隙間部４５には、それを室内側から覆うようにカバー材４６が設けられる。これによって、サッシ上枠１０と下枠２１の連結部分、特にネジ止めした部分を覆うことができて、サッシの内観を向上させることができる。
【００２７】
カバー材４６は断面中空状の樹脂材からなり、受け片２６側の側面は受け片２６に対して係合固定され、アングル部１３側の側面はアングル部１３に対してネジ４１によって固定される。受け片２６は張出部２３の一部を構成しており、受け片２６の上面側からカバー材４６をネジ止めするのは困難であるため、カバー材４６と受け片２６は係合により固定している。また、カバー材４６の室内側面４６ａは両端部がそれぞれ受け片２６の先端部とアングル部１３の先端部に連係し、略連続状となるようにされていて、サッシ枠体１と換気扇枠体２が一体感を奏するようにしている。
【００２８】
図６には、サッシ枠体１と換気扇枠体２及びカバー材４６の分解図を示している。サッシ上枠１０と下枠２１は、上述のように室外側で係合部２７と被係合部１５が係合固定され、中間部で当接部２８の水密材２８ａがサッシ上枠１０上面に当接し、室内側でサッシ上枠１０の室内側面１６と下枠２１の突出部２９が重合状態とされてネジ４０によりネジ止めされることによって連結される。なお、ネジ止めに代えてビス止めしてもよい。
【００２９】
サッシ上枠１０と下枠２１が連結されることによって、サッシ上枠１０のアングル部１３と下枠２１の受け片２６との間に隙間部４５が形成され、隙間部４５にはカバー材４６が室内側から取付けられる。カバー材４６は受け片２６とは係合固定され、アングル部１３とはネジ４１によりネジ止めされて固定され、その室内側面４６ａは受け片２６の先端部及びアングル部１３の先端部と連係して略連続状とされる。
【００３０】
以上、本発明の実施形態について説明したが、本発明の適用はこの実施形態には限られず、その技術的思想の範囲内において様々に適用されうるものである。例えば、本実施形態ではサッシ枠体１には縦辷り出し窓が納められる構成であるが、窓の種類はこれに限られず、嵌め殺し窓や開き窓、あるいは引き違い窓などどのような種類の窓であってもよい。
【図面の簡単な説明】
【００３１】
【図１】本実施形態における換気扇付きサッシの室内側から見た正面図である。
【図２】換気扇付きサッシの縦断面図である。
【図３】換気扇付きサッシのサッシ枠体部分の横断面図である。
【図４】換気扇付きサッシの換気扇枠体部分の横断面図である。
【図５】サッシ枠体と換気扇枠体の連結部分を拡大した縦断面図である。
【図６】サッシ枠体と換気扇枠体及びカバー材の分解図である。
【符号の説明】
【００３２】
１    サッシ枠体
２    換気扇枠体
３    障子
４    換気扇
５    框体
６    ガラス体
１０    サッシ上枠
１１    サッシ下枠
１２    サッシ縦枠
１３    アングル部
２０    上枠
２１    下枠
２２    縦枠
２３    張出部
２６    受け片
４５    隙間部
４６    カバー材
【図１】
0004632944.tif 000002
【図２】
0004632944.tif 000003
【図３】
0004632944.tif 000004
【図４】
0004632944.tif 000005
【図５】
0004632944.tif 000006
【図６】
0004632944.tif 000007